【手続補正書】
【提出日】平成28年4月22日(2016.4.22)
【手続補正１】
【補正対象書類名】特許請求の範囲
【補正対象項目名】請求項１
【補正方法】変更
【補正の内容】
【請求項１】
第１のセンサー部を用いて生体表面から第１の動脈あるいは心室流出路の流速を計測し、流速ピーク値を検出する流速ピーク値検出部と、
第２のセンサー部を用いて生体表面から第２の動脈の動脈径を計測し、該動脈径の時間変化に基づいて心臓駆出時間を算出する駆出時間算出部と、
予め規定された前記第２の動脈の動脈径と前記第１の動脈の断面積との関係を用いて、前記計測された前記第２の動脈の動脈径から前記第１の動脈の断面積を推定する断面積推定部と、
前記流速ピーク値検出部によって検出された流速ピーク値と、前記駆出時間算出部によって算出された心臓駆出時間と、前記断面積推定部によって推定された断面積とを用いて、一回拍出量を算出する一回拍出量算出部と、
前記一回拍出量算出部により算出された一回拍出量と所与の心拍数とを用いて心拍出量を算出する心拍出量算出部と、
を備えた心拍出量モニター装置。
【手続補正２】
【補正対象書類名】特許請求の範囲
【補正対象項目名】請求項２
【補正方法】変更
【補正の内容】
【請求項２】
第１のセンサー部を用いて生体表面から第１の動脈あるいは心室流出路の流速を計測し、流速ピーク値を検出する流速ピーク値検出部と、
生体表面から触知し得る第３の動脈の動脈圧を第３のセンサー部を用いて計測し、該動脈圧の時間変化に基づいて心臓駆出時間を算出する駆出時間算出部と、
予め規定された前記第３の動脈の動脈圧と前記第１の動脈の断面積との関係を用いて、前記計測された前記第３の動脈の動脈圧から前記第１の動脈の断面積を推定する断面積推定部と、
前記流速ピーク値検出部によって検出された流速ピーク値と、前記駆出時間算出部によって算出された心臓駆出時間と、前記断面積推定部によって推定された断面積とを用いて、一回拍出量を算出する一回拍出量算出部と、
前記一回拍出量算出部により算出された一回拍出量と所与の心拍数とを用いて心拍出量を算出する心拍出量算出部と、
を備えた心拍出量モニター装置。
【手続補正３】
【補正対象書類名】特許請求の範囲
【補正対象項目名】請求項３
【補正方法】変更
【補正の内容】
【請求項３】
第１のセンサー部を用いて生体表面から第１の動脈あるいは心室流出路の流速を計測し、流速ピーク値を検出する流速ピーク値検出部と、
第２のセンサー部を用いて生体表面から第２の動脈の動脈径を計測し、該動脈径と前記第１の動脈の断面積との予め規定された関係を用いて、前記第２の動脈の動脈径から前記第１の動脈の断面積を推定する断面積推定部と、
生体表面から触知し得る第３の動脈の動脈圧を第３のセンサー部を用いて計測し、該動脈圧の時間変化に基づいて心臓駆出時間を算出する駆出時間算出部と、
前記流速ピーク値検出部によって検出された流速ピーク値と、前記駆出時間算出部によって算出された心臓駆出時間と、前記断面積推定部によって推定された断面積とを用いて、一回拍出量を算出する一回拍出量算出部と、
前記一回拍出量算出部により算出された一回拍出量と所与の心拍数とを用いて心拍出量を算出する心拍出量算出部と、
を備えた心拍出量モニター装置。
【手続補正４】
【補正対象書類名】特許請求の範囲
【補正対象項目名】請求項８
【補正方法】変更
【補正の内容】
【請求項８】
第１のセンサー部を用いて生体表面から第１の動脈あるいは心室流出路の流速を計測し、第２のセンサー部を用いて生体表面から第２の動脈の動脈径を計測して、心拍出量を測定する心拍出量測定方法であって、
前記計測された流速に基づいて流速ピーク値を検出することと、
前記計測された動脈径の時間変化に基づいて心臓駆出時間を算出することと、
予め規定された前記第２の動脈の動脈径と前記第１の動脈の断面積との関係を用いて、前記計測された前記第２の動脈の動脈径から前記第１の動脈の断面積を推定することと、
前記検出された流速ピーク値と、前記算出された心臓駆出時間と、前記推定された断面積とを用いて、一回拍出量を算出することと、
前記算出された一回拍出量と所与の心拍数とを用いて心拍出量を算出することと、
を含む心拍出量測定方法。
【手続補正５】
【補正対象書類名】特許請求の範囲
【補正対象項目名】請求項９
【補正方法】変更
【補正の内容】
【請求項９】
第１のセンサー部を用いて生体表面から第１の動脈あるいは心室流出路の流速を計測し、生体表面から触知し得る第３の動脈の動脈圧を第３のセンサー部を用いて計測して、心拍出量を測定する心拍出量測定方法であって、
前記計測された流速に基づいて流速ピーク値を検出することと、
前記計測された動脈圧の時間変化に基づいて心臓駆出時間を算出することと、
予め規定された前記第３の動脈の動脈圧と前記第１の動脈の断面積との関係を用いて、前記計測された前記第３の動脈の動脈圧から前記第１の動脈の断面積を推定することと、
前記検出された流速ピーク値と、前記算出された心臓駆出時間と、前記推定された断面積とを用いて、一回拍出量を算出することと、
前記算出された一回拍出量と所与の心拍数とを用いて心拍出量を算出することと、
を含む心拍出量測定方法。
【手続補正６】
【補正対象書類名】特許請求の範囲
【補正対象項目名】請求項１０
【補正方法】変更
【補正の内容】
【請求項１０】
第１のセンサー部を用いて生体表面から第１の動脈あるいは心室流出路の流速を計測し、第２のセンサー部を用いて生体表面から第２の動脈の動脈径を計測し、生体表面から触知し得る第３の動脈の動脈圧を第３のセンサー部を用いて計測して、心拍出量を測定する心拍出量測定方法であって、
前記計測された流速に基づいて流速ピーク値を検出することと、
予め規定された前記第２の動脈の動脈径と前記第１の動脈の断面積との関係を用いて、前記計測された前記第２の動脈の動脈径から前記第１の動脈の断面積を推定することと、
前記計測された動脈圧の時間変化に基づいて心臓駆出時間を算出することと、
前記検出された流速ピーク値と、前記算出された心臓駆出時間と、前記推定された断面積とを用いて、一回拍出量を算出することと、
前記算出された一回拍出量と所与の心拍数とを用いて心拍出量を算出することと、
を含む心拍出量測定方法。
【手続補正７】
【補正対象書類名】明細書
【補正対象項目名】０００９
【補正方法】変更
【補正の内容】
【０００９】
以上の課題を解決するための第１の形態は、第１のセンサー部を用いて生体表面から第１の動脈あるいは心室流出路の流速を計測し、流速ピーク値を検出する流速ピーク値検出部と、第２のセンサー部を用いて生体表面から第２の動脈の動脈径を計測し、該動脈径の時間変化に基づいて心臓駆出時間を算出する駆出時間算出部と、予め規定された前記第２の動脈の動脈径と前記第１の動脈の断面積との関係を用いて、前記計測された前記第２の動脈の動脈径から前記第１の動脈の断面積を推定する断面積推定部と、前記流速ピーク値検出部によって検出された流速ピーク値と、前記駆出時間算出部によって算出された心臓駆出時間と、前記断面積推定部によって推定された断面積とを用いて、一回拍出量を算出する一回拍出量算出部と、前記一回拍出量算出部により算出された一回拍出量と所与の心拍数とを用いて心拍出量を算出する心拍出量算出部と、を備えた心拍出量モニター装置である。
【手続補正８】
【補正対象書類名】明細書
【補正対象項目名】００１０
【補正方法】変更
【補正の内容】
【００１０】
第２の形態は、第１のセンサー部を用いて生体表面から第１の動脈あるいは心室流出路の流速を計測し、流速ピーク値を検出する流速ピーク値検出部と、生体表面から触知し得る第３の動脈の動脈圧を第３のセンサー部を用いて計測し、該動脈圧の時間変化に基づいて心臓駆出時間を算出する駆出時間算出部と、予め規定された前記第３の動脈の動脈圧と前記第１の動脈の断面積との関係を用いて、前記計測された前記第３の動脈の動脈圧から前記第１の動脈の断面積を推定する断面積推定部と、前記流速ピーク値検出部によって検出された流速ピーク値と、前記駆出時間算出部によって算出された心臓駆出時間と、前記断面積推定部によって推定された断面積とを用いて、一回拍出量を算出する一回拍出量算出部と、前記一回拍出量算出部により算出された一回拍出量と所与の心拍数とを用いて心拍出量を算出する心拍出量算出部と、を備えた心拍出量モニター装置である。
【手続補正９】
【補正対象書類名】明細書
【補正対象項目名】００１１
【補正方法】変更
【補正の内容】
【００１１】
また、第３の形態は、第１のセンサー部を用いて生体表面から第１の動脈あるいは心室流出路の流速を計測し、流速ピーク値を検出する流速ピーク値検出部と、第２のセンサー部を用いて生体表面から第２の動脈の動脈径を計測し、該動脈径と前記第１の動脈の断面積との予め規定された関係を用いて、前記第２の動脈の動脈径から前記第１の動脈の断面積を推定する断面積推定部と、生体表面から触知し得る第３の動脈の動脈圧を第３のセンサー部を用いて計測し、該動脈圧の時間変化に基づいて心臓駆出時間を算出する駆出時間算出部と、前記流速ピーク値検出部によって検出された流速ピーク値と、前記駆出時間算出部によって算出された心臓駆出時間と、前記断面積推定部によって推定された断面積とを用いて、一回拍出量を算出する一回拍出量算出部と、前記一回拍出量算出部により算出された一回拍出量と所与の心拍数とを用いて心拍出量を算出する心拍出量算出部と、を備えた心拍出量モニター装置である。
【手続補正１０】
【補正対象書類名】明細書
【補正対象項目名】００２１
【補正方法】変更
【補正の内容】
【００２１】
第８の形態は、第１のセンサー部を用いて生体表面から第１の動脈あるいは心室流出路の流速を計測し、第２のセンサー部を用いて生体表面から第２の動脈の動脈径を計測して、心拍出量を測定する心拍出量測定方法であって、前記計測された流速に基づいて流速ピーク値を検出することと、前記計測された動脈径の時間変化に基づいて心臓駆出時間を算出することと、予め規定された前記第２の動脈の動脈径と前記第１の動脈の断面積との関係を用いて、前記計測された前記第２の動脈の動脈径から前記第１の動脈の断面積を推定することと、前記検出された流速ピーク値と、前記算出された心臓駆出時間と、前記推定された断面積とを用いて、一回拍出量を算出することと、前記算出された一回拍出量と所与の心拍数とを用いて心拍出量を算出することと、を含む心拍出量測定方法である。
【手続補正１１】
【補正対象書類名】明細書
【補正対象項目名】００２２
【補正方法】変更
【補正の内容】
【００２２】
第９の形態は、第１のセンサー部を用いて生体表面から第１の動脈あるいは心室流出路の流速を計測し、生体表面から触知し得る第３の動脈の動脈圧を第３のセンサー部を用いて計測して、心拍出量を測定する心拍出量測定方法であって、前記計測された流速に基づいて流速ピーク値を検出することと、前記計測された動脈圧の時間変化に基づいて心臓駆出時間を算出することと、予め規定された前記第３の動脈の動脈圧と前記第１の動脈の断面積との関係を用いて、前記計測された前記第３の動脈の動脈圧から前記第１の動脈の断面積を推定することと、前記検出された流速ピーク値と、前記算出された心臓駆出時間と、前記推定された断面積とを用いて、一回拍出量を算出することと、前記算出された一回拍出量と所与の心拍数とを用いて心拍出量を算出することと、を含む心拍出量測定方法である。
【手続補正１２】
【補正対象書類名】明細書
【補正対象項目名】００２３
【補正方法】変更
【補正の内容】
【００２３】
第１０の形態は、第１のセンサー部を用いて生体表面から第１の動脈あるいは心室流出路の流速を計測し、第２のセンサー部を用いて生体表面から第２の動脈の動脈径を計測し、生体表面から触知し得る第３の動脈の動脈圧を第３のセンサー部を用いて計測して、心拍出量を測定する心拍出量測定方法であって、前記計測された流速に基づいて流速ピーク値を検出することと、予め規定された前記第２の動脈の動脈径と前記第１の動脈の断面積との関係を用いて、前記計測された前記第２の動脈の動脈径から前記第１の動脈の断面積を推定することと、前記計測された動脈圧の時間変化に基づいて心臓駆出時間を算出することと、前記検出された流速ピーク値と、前記算出された心臓駆出時間と、前記推定された断面積とを用いて、一回拍出量を算出することと、前記算出された一回拍出量と所与の心拍数とを用いて心拍出量を算出することと、を含む心拍出量測定方法である。